(57)【要約】  【課題】  放送による宣伝広告は、視聴者にとって、広汎な情報を容易に得られるというメリットがあるが、反面、広告に関して、地域性のある、その時々の個人的ニーズを満たすような詳細な情報を入手するのは困難であるという課題がある。  【解決手段】  本発明は、かかる実情に鑑み、放送広告に関する予め用意された詳細な情報を、視聴者の要求に応じた装置へ送信する電子チラシ提供システムを提案する。広告について、チラシ要約情報とチラシ詳細情報との２通りの情報を用意し、要約情報をデジタル放送で提供することにより、関連地域の視聴者に広く宣伝を行い、かつ、詳細情報を要求に応じて送信することにより、視聴者が興味を持った広告に関する詳細な情報を手軽に入手する手段を提供することができる。【選択図】            図２
2005157629.tif 000002
【特許請求の範囲】
【請求項１】
第一チラシ配信装置と、家庭に配置されるデジタル放送受信装置と、からなる電子チラシ提供システムであって、
前記第一チラシ配信装置は、
そのチラシを配信すべき地域を識別する地域識別情報を含むチラシ要約情報を蓄積するチラシ要約情報蓄積部と、
前記チラシ要約情報に対応するチラシ詳細情報を蓄積するチラシ詳細情報蓄積部と、
前記チラシ要約情報をデジタル放送するチラシ要約情報放送部と
前記チラシ要約情報の家庭での視聴に応じて受信する前記チラシ詳細情報の要求のためのチラシ詳細情報要求信号を受信する第一チラシ詳細情報要求信号受信部と、
前記チラシ詳細情報を送信可能な第一チラシ詳細情報送信部と、を有し、
前記デジタル放送受信装置は、
自身が配置されている地域を識別するための受信装置地域識別情報を保持する受信装置地域識別情報保持部と、
前記第一チラシ配信装置から放送される前記チラシ要約情報を受信するチラシ要約情報受信部と、
前記チラシ要約情報受信部で受信したチラシ要約情報に含まれる地域識別情報を取得し、前記受信装置地域識別情報保持部に保持されている受信装置地域識別情報と所定の関係を有する場合に前記チラシ要約情報を画面に出力するための画面出力部と、
前記画面出力部により出力されたチラシ要約情報に基づいてチラシ詳細情報を要求するために、チラシ詳細情報を受信すべき装置の装置識別情報が含まれるチラシ詳細情報要求信号を送信するチラシ詳細情報要求信号送信部と、
を有する電子チラシ提供システム。
【請求項２】
第二チラシ配信装置と、家庭に配置されるデジタル放送受信装置と、店舗チラシ配信装置と、からなる電子チラシ提供システムであって、
前記第二チラシ配信装置は、
そのチラシを配信すべき地域を識別する地域識別情報を含むチラシ要約情報を蓄積するチラシ要約情報蓄積部と、
前記チラシ要約情報をデジタル放送するチラシ要約情報放送部と、
前記チラシ要約情報の家庭での視聴に応じて受信するチラシ詳細情報の要求のためのチラシ詳細情報要求信号を受信する第二チラシ詳細情報要求信号受信部と、
前記第二チラシ詳細情報要求信号受信部で受信したチラシ詳細情報要求信号に基づいて前記店舗チラシ配信装置に対してチラシ詳細情報の要求があったことを示す情報であるチラシ詳細情報要求通知を前記店舗チラシ配信装置に送信するチラシ詳細情報要求通知送信部と、を有し、
前記デジタル放送受信装置は、
自身が配置されている地域を識別するための受信装置地域識別情報を保持する受信装置地域識別情報保持部と、
前記第二チラシ配信装置から放送される前記チラシ要約情報を受信するチラシ要約情報受信部と、
前記チラシ要約情報受信部で受信したチラシ要約情報に含まれる地域識別情報を取得し、前記受信装置地域識別情報保持部に保持されている受信装置地域識別情報と所定の関係を有する場合に前記チラシ要約情報を画面に出力するための画面出力部と、
前記画面出力部により出力されたチラシ要約情報に基づいてチラシ詳細情報を要求するために、チラシ詳細情報を受信すべき装置の装置識別情報が含まれるチラシ詳細情報要求信号を送信するチラシ詳細情報要求信号送信部と、を有し、
前記店舗チラシ配信装置は、
チラシ詳細情報を保持するチラシ詳細情報保持部と、
前記チラシ詳細情報要求通知を受信するチラシ詳細情報要求通知受信部と、
前記チラシ詳細情報要求通知受信部で受信したチラシ詳細情報要求通知に基づいて、前記チラシ詳細情報保持部に保持されているチラシ詳細情報を送信する第二チラシ詳細情報送信部と、
を有する電子チラシ提供システム。
【請求項３】
前記デジタル放送受信装置は、前記第一チラシ配信装置又は前記店舗チラシ配信装置から送信される前記チラシ詳細情報を受信するチラシ詳細情報受信部を有する請求項１又は２に記載の電子チラシ提供システム。
【請求項４】
チラシ詳細情報を受信すべきファックス系装置をさらに有し、
前記第一チラシ詳細情報送信部又は前記第二チラシ詳細情報送信部は、前記装置識別情報に基づいて特定される前記ファックス系装置に対してチラシ詳細情報を送信する請求項１又は２に記載の電子チラシ提供システム。
【請求項５】
前記デジタル放送受信装置の画面出力部は、
前記チラシ要約情報受信部で受信したチラシ要約情報に含まれる地域識別情報と、前記受信装置地域識別情報とを比較する比較手段と、
前記比較手段の比較結果に応じて前記画面への出力を行う比較出力手段と、
を有する請求項１から４のいずれか一に記載の電子チラシ提供システム。
【請求項６】
電子チラシ提供方法であって、
チラシを配信すべき地域を識別する地域識別情報を含むチラシ要約情報をデジタル放送するチラシ要約情報放送ステップと、
前記要約情報放送ステップにて放送される前記チラシ要約情報を受信するチラシ要約情報受信ステップと、
前記チラシ要約情報受信ステップで受信したチラシ要約情報に含まれる地域識別情報を取得し、その地域識別情報が前記チラシ要約情報を受信した受信装置の配置された地域を示す受信装置地域識別情報と所定の関係を有する場合に、前記チラシ要約情報を画面に出力するための画面出力ステップと、
前記画面出力ステップにて出力されたチラシ要約情報に基づいてチラシ詳細情報を要求するために、チラシ詳細情報を受信すべき装置の装置識別情報が含まれるチラシ詳細情報要求信号を送信するチラシ詳細情報要求信号送信ステップと、
前記チラシ詳細情報要求信号送信ステップで送信されたチラシ詳細情報要求信号を受信するチラシ詳細情報要求信号受信ステップと、
前記チラシ詳細情報要求信号受信ステップにて受信したチラシ詳細情報要求信号に応じてチラシ詳細情報を送信するチラシ詳細情報送信ステップと、
を有する電子チラシ提供方法。
【請求項７】
前記チラシ詳細情報送信ステップは、ファックス系送信処理ステップである電子チラシ提供方法。
【請求項８】
画面出力ステップは、
前記チラシ要約情報受信ステップで受信したチラシ要約情報に含まれる地域識別情報と、前記受信装置地域識別情報とを比較する比較ステップと、
前記比較手段の比較結果に応じて前記画面への出力を行う比較出力ステップと、
を有する電子チラシ提供方法。
【発明の詳細な説明】
【技術分野】
【０００１】
本発明は、電子チラシ提供システムに関するものである。
【背景技術】
【０００２】
従来、放送による宣伝広告が行なわれている。放送による宣伝広告は、視聴者にとって、広汎な情報を居ながらにして容易に得られるというメリットがある。反面、広範囲の視聴者を対象とするため情報には地域性がなく、また、一つ一つの広告については特徴点のみ宣伝される場合が多く、詳細な情報は提供されない。即ち、視聴者にとっては、実際に商品の購買を検討する場合には必要となる、地域性がある情報や個人的に興味を持った情報についての詳細を入手することには困難がある。また、紙などに印刷をおこなったチラシを街頭で配布し、そのチラシを持って店に来た人に対して割引などのサービスをすることが行なわれいるが、店に来る人だけにチラシを配ることはできず、大部分のチラシは無駄になってしまう。
【０００３】
この課題を解決するため、従来、テレビで広告されている商品の価格等の関連情報を興味のある視聴者に提供するために、地域性のある詳細情報を視聴者の個人属性情報に基づいて、ネットワーク上に接続された装置を介して配信するという方法が行われてきた（例えば、特許文献１参照。）。
【特許文献１】特開２００２−１３３２７５号公報
【発明の開示】
【発明が解決しようとする課題】
【０００４】
しかしながら、個人属性情報に基づいた詳細情報が必ずしも視聴者のニーズを満たすものであるとは限らない。実際に購買に結びつく可能性の高い効果的な情報提供を行うためにも、視聴者が、その時々で興味を持った広告に関する詳細な情報を手軽に入手する手段が必要である。
【課題を解決するための手段】
【０００５】
本発明は、かかる実情に鑑み、放送広告に関連する予め用意された詳細な情報を、視聴者の要求に応じた装置へ送信する電子チラシ提供システムを提案する。
【０００６】
この電子チラシ提供システムは、第一チラシ配信装置と、デジタル放送受信装置とからなる。
【０００７】
第一チラシ配信装置は、チラシ要約情報を広告として放送し、受信した視聴者の指示によりデジタル放送受信装置から送信されたチラシ詳細情報要求に従い、指定された装置へチラシ詳細情報を送信する。視聴者は、興味を持った広告に関連する詳細情報を自分の都合の良い装置を介して得ることができる。
【発明の効果】
【０００８】
本発明の電子チラシ提供システムにおいては、広告について、チラシ要約情報と、チラシ詳細情報との２通りの情報を用意し、要約情報をデジタル放送で提供することにより、関連地域の視聴者に広く宣伝を行い、かつ、詳細情報を要求に応じて送信することにより、視聴者が手軽に必要な情報を入手する手段を提供する。これにより、実際に購買に結びつく可能性の高い効果的な宣伝広告が期待できる。
【０００９】
また、詳細情報を視聴者の指定する装置を介して提供することにより、一般に普及した、視聴者の扱い慣れた形態での情報提供が行えるので、情報が充分に活用できる。
【００１０】
さらに、チラシ詳細情報を広告提供側の店舗にて保持することにより、常に最新の状況を反映した情報を提供することができ、かつ、店舗側にて受信する詳細情報要求をマーケティング等に活用することができる。
【００１１】
また、チラシ要約情報の放送にあたっては、当該放送の配信地域と受信装置の配置地域とを比較し、画面出力に工夫することによって、有用性の高い広告に対する視聴者の注意を促すことができる。
【発明を実施するための最良の形態】
【００１２】
以下に、各発明を実施するための最良の形態を説明する。なお、本発明はこれら実施の形態に何ら限定されるものではなく、その要旨を逸脱しない範囲において、種々なる態様で実施しうる。
【００１３】
実施形態１は、主に請求項１，６等について説明する。
【００１４】
実施形態２は、主に請求項２等について説明する。
【００１５】
実施形態３は、主に請求項３等について説明する。
【００１６】
実施形態４は、主に請求項４、７等について説明する。
【００１７】
実施形態５は、主に請求項５，８等について説明する。
【００１８】
<<実施形態１>>
<実施形態１の概要>
本実施形態は、デジタル放送にて配信される宣伝広告に関するものであり、要約情報と詳細情報との２通りのチラシ情報を用意しておき、要約情報をデジタル放送し、興味を持った視聴者の要求に応じて詳細情報を送信する電子チラシ提供システムである。
【００１９】
図１に、本実施形態の概念の一例を示す。
【００２０】
要約情報をデジタル放送で提供することにより、関連地域の視聴者に広く宣伝を行い、かつ、詳細情報を要求に応じて送信することにより、視聴者が手軽に必要な情報を入手でき、購買意欲を持ち宣伝に興味を持った相手に対する効率のよい情報提供が行える。
【００２１】
<実施形態１の構成>
本実施形態での機能ブロックの一例を図２に示す。
【００２２】
図２に示す本実施形態の「電子チラシ提供システム」（０２００）は、「第一チラシ配信装置」（０２１０）と、家庭に配置される「デジタル放送受信装置」（０２２０）とからなる電子チラシ提供システムであって、前記第一チラシ配信装置（０２１０）は、「チラシ要約情報蓄積部」（０２１１）と、「チラシ詳細情報蓄積部」（０２１２）と、「チラシ要約情報放送部」（０２１３）と、「第一チラシ詳細情報要求信号受信部」（０２１４）と、「第一チラシ詳細情報送信部（０２１５）とからなり、前記デジタル放送受信装置（０２２０）は、「受信装置地域識別情報保持部」（０２２１）と、「チラシ要約情報受信部（０２２２）と、「画面出力部」（０２２３）と、「チラシ詳細情報要求信号送信部」（０２２４）とからなる。
【００２３】
なお、ここでは、チラシ情報の受信装置となるデジタル放送受信装置は家庭に配置されるものとしてあるが、必ずしも限定されるものではなく、必要に応じて事務所や工場等、家庭以外へも配置される。以下、本明細書中でのチラシ情報受信のための装置は、同様に任意の場所に配置し得るものとする。
【００２４】
<実施形態１の構成の説明>
最初に、第一チラシ配信装置（０２１０）の構成要件について説明する。
【００２５】
「チラシ要約情報蓄積部」（０２１１）は、そのチラシを配信すべき地域を識別する地域識別情報を含むチラシ要約情報を蓄積する。
ここで「チラシ要約情報」とは、宣伝広告の要約であり、広告として放送され、テレビ画面上などで視聴者に提供される情報である。広範囲の家庭に送ることができるように放送という手段を利用するため、画面上などで視聴者が即座に理解できるだけの情報しか提供できない。
【００２６】
また、「地域識別情報」とは、当該システムが情報配信の可否などを判断するために必要とする区画わけした地域を表す情報である。例えば、従来の郵便番号のように町村単位にわけて割り振ったものが考えられる。また、必要に応じて更に小さい区画わけをすることも考えられる。
【００２７】
この蓄積部は、例えば、ハードディスクドライブで構成されていたり、ＤＶＤなどの記録メディアで構成されていたりする。以下、本明細書中での情報の蓄積部、および保持部は、同様に構成される。
【００２８】
「チラシ詳細情報蓄積部」（０２１２）は、チラシ詳細情報を蓄積する。
ここで、「チラシ詳細情報」とは、前記チラシ要約情報に対応する、より詳細なチラシ情報である。これは、前記チラシ要約情報に興味をもった視聴者の要求に応じて、個別に送信される。チラシ要約情報は、放送という手段を利用するため、視聴者が画面上などで即座に理解できるように提供情報量が限られたが、詳細情報は要求のあった特定の視聴者に対して送られるため、情報量を限らず必要なだけの情報を提供することができる。
例えば、チラシ要約情報として特売品の商品名と値段を宣伝しておき、チラシ詳細情報としてその商品の詳細な情報や、その他の関連する商品の情報を提供する等が考えられる。チラシ要約情報と、対応するチラシ詳細情報との一例を図３に示す。
【００２９】
「チラシ要約情報放送部」（０２１３）は、前記チラシ要約情報をデジタル放送する。
デジタル放送とは、画像・音声等のデータをデジタル信号で送り出す方式の放送である。この方式では、画像・音声以外の情報も同時に送ることができる。この付加情報を利用して、インターネット回線などを介して視聴者との双方向通信を行うことができる。
【００３０】
本実施形態において特にデジタル放送としたのは、デジタル放送とすることで、チラシ要約情報と受信装置地域識別情報とを関連付けた配信が可能となるからである。これは、デジタル信号処理により可能となるものであり、従来のアナログ放送では困難であったことである。情報の配信地域が選択可能となることにより、視聴者側は地域に密着した利用価値・頻度の高い情報を得ることができ、また、宣伝する側は効果の高い広告を出すことができる。
【００３１】
「第一チラシ詳細情報要求信号受信部」（０２１４）は、視聴家庭へのチラシ詳細情報の送信を要求するチラシ詳細情報要求信号を受信するために設けられる。チラシ詳細情報要求信号には、チラシ詳細情報を受信すべき装置の装置識別情報が含まれている。装置識別情報としては、例えば、ファックス番号や電話番号、又はメールアドレス、ＦＱＤＮ（Ｆｕｌｌ  Ｑｕａｌｉｆｉｅｄ  Ｄｏｍａｉｎ  Ｎａｍｅ）、ＩＰアドレス、ＩＰアドレスやＦＱＤＮとポート番号の組み合わせ、等が考えられる。このような装置識別情報は、例えば、家庭などに設置されるデジタル放送受信装置に対して設定され、保持される。また、この信号の受信のためには、デジタル放送の双方向通信機能を利用することも考えられる。
【００３２】
「第一チラシ詳細情報送信部」（０２１５）は、前記チラシ詳細情報を要求のあった視聴家庭の指定された装置へ送信する。対象となる装置は、前記チラシ詳細情報要求信号に含まれた装置識別情報により特定する。
【００３３】
次に、デジタル放送受信装置（０２２０）の構成要件について説明する。
【００３４】
「受信装置地域識別情報保持部」（０２２１）は、受信装置が配置されている地域の地域識別情報を受信装置地域識別情報として保持する。受信装置地域識別情報は、放送されたチラシ要約情報の画面出力の可否などに関する判断のために使用される。
【００３５】
「チラシ要約情報受信部」（０２２２）は、前記チラシ要約情報放送部（０２１３）より放送されたチラシ要約情報を受信するために設けられる。このチラシ要約情報には、配信すべき地域を識別する地域識別情報が含まれる。
【００３６】
「画面出力部」（０２２３）は、受信した前記チラシ要約情報の画面出力を行う。なお、その際、チラシ要約情報に含まれる地域識別情報と、前記受信装置地域識別情報とを比較し、出力の可否の判断を行う。
【００３７】
例えば、受信装置地域識別情報が、チラシ要約情報の地域識別情報と合致した場合のみ、もしくは、チラシ要約情報の地域識別情報の示す地域とその隣接する地域である場合のみ画面出力を行う等の判断が考えられる。また、例えば、複数の地域に配信するように定義した地域識別情報をチラシ要約情報に含めることも考えられる。
【００３８】
「チラシ詳細情報要求信号送信部」（０２２４）は、画面出力されたチラシ要約情報に基づいてチラシ詳細情報を要求するチラシ詳細情報要求信号を送信するために設けられる。例えば、このチラシ詳細情報要求信号送信部（０２２４）は、視聴者が画面出力されたチラシ要約情報を見て、リモコン操作などにより詳細情報を要求した場合などに起動される。詳細情報を要求するには、要求信号にどのチラシ要約情報に対応する要求であるかを判断するための情報も含む必要があるが、例えば、チラシ要約情報に識別子を付加し、この識別子を関連づけて要求信号を出す、又は、要求が発生した時刻を信号にのせ、放送時刻から対応する詳細情報を判断する等が考えられる。
【００３９】
なお、このチラシ詳細情報要求信号には、視聴者が指定したチラシ詳細情報を受信すべき装置の装置識別情報が含まれる。
【００４０】
<実施形態１の具体例の説明>
本実施形態の具体例をあげて説明する。図４，図５に、第一チラシ配信装置、デジタル放送受信装置の具体的機能ブロックの一例を示す。
【００４１】
第一チラシ配信装置（０４１０）の、チラシ要約情報蓄積部（０４１１）には、チラシ識別子としてID=0100A、地域識別情報として千代田区という情報を含むチラシ要約情報を蓄積し、チラシ詳細情報蓄積部（０４１２）には、チラシ識別子としてID=0100Bという情報を含む対応するチラシ詳細情報を蓄積してあるものとする。なお、ここでは、チラシ識別子の末尾の文字によりチラシ要約情報とチラシ詳細情報とを区別するものとし、チラシ識別子に同じ番号をつけて末尾がＡであるものをチラシ要約情報、Ｂであるものを対応するチラシ詳細情報とする。このチラシ要約情報とチラシ詳細情報との対応関係の管理に関しては、対応表を設ける等の方式も考えられる。
【００４２】
チラシ要約情報放送部（０４１３）は、チラシ識別子および地域識別情報を含むチラシ要約情報を、デジタル放送により放送する。放送されたチラシ要約情報は、視聴が行なわれる家庭などに設置されたデジタル放送受信装置（０５１０）により受信される。
【００４３】
デジタル放送受信装置（０５１０）の、チラシ要約情報受信部（０５１２）は、チラシ識別子としてID=0100A、地域識別情報として千代田区という情報を含むチラシ要約情報を受信する。
【００４４】
受信装置地域識別情報保持部（０５１１）には、受信装置の設置場所として千代田区という情報が保持されているものとする。
【００４５】
画面出力部（０５１３）は、チラシ要約情報中の地域識別情報と、受信装置地域識別情報とを比較し、合致しているとの判断を下し、当該のチラシ情報を画面出力する。
【００４６】
テレビ画面を見た視聴者が、リモコン操作により当該チラシの詳細な情報を要求すると、チラシ詳細情報要求信号送信部（０５１４）は、画面表示されたチラシのチラシ識別子ID=0100A、受信装置識別情報として受信装置ID＝123456の情報を持つチラシ詳細情報要求信号を第一チラシ配信装置（０４１０）に対して送信する。なお、受信装置IDは、デジタル放送受信に当たって視聴者が設定するものとし、視聴者の都合により変更できるものとする。
【００４７】
第一チラシ配信装置（０４１０）の第一チラシ詳細情報要求信号受信部（０４１４）は、視聴者からの要求により送信された、チラシ識別子としてID=0100A、受信装置識別情報として受信装置ID＝123456の情報を持つチラシ詳細情報要求信号を受信する。
【００４８】
第一チラシ詳細情報送信部（０４１５）は、前記チラシ詳細情報要求信号のIDおよび受信装置ID に基づき、チラシ識別子としてID=0100Ｂを持つチラシ詳細情報を、受信装置ID＝123456を持つ受信装置に対して送信する。
【００４９】
<実施形態１の処理の流れ>
図６は、実施形態１での処理の流れの一例を示したものである。本実施形態における電子チラシ提供方法は、以下に示すステップよりなる。
【００５０】
<第一チラシ配信装置による処理の流れ>
最初に、チラシを配信すべき地域を識別する地域識別情報を含むチラシ要約情報をデジタル放送するための処理を行う（チラシ要約情報放送ステップ  S０６１１）。
【００５１】
次に、チラシ詳細情報要求信号が送信された場合には、当該信号を受信するための処理を行う（チラシ詳細情報要求信号受信ステップ  S０６１２）。当該信号の送信に関しては後述する。
【００５２】
最後に、チラシ詳細情報要求信号受信ステップ（S０６１２）にてチラシ詳細情報要求信号を受信した場合には、当該信号により指定された装置に対して、チラシ詳細情報を送信するための処理を行う（チラシ詳細情報送信ステップ  S０６１３）。
【００５３】
<デジタル放送受信装置による処理の流れ>
最初に、チラシ要約情報放送ステップにて放送されたチラシ要約情報を受信するための処理を行う（チラシ要約情報受信ステップ  S０６２１）。
【００５４】
次に、チラシ要約情報受信ステップにて受信したチラシ要約情報から地域識別情報を取得し、受信装置の配置された地域を示す受信装置地域識別情報との比較を行う（S０６２２）。
【００５５】
比較結果により、画面出力が可であれば、チラシ要約情報を画面出力するための処理を行う（画面出力ステップ  S０６２３）。
なお、比較結果により、画面出力処理が不可であれば、画面出力は行わず、以下の処理も行われない。
【００５６】
最後に、画面出力したチラシ要約情報に対して、視聴者からの詳細情報要求が行われた場合（S０６２４）には、チラシ詳細情報を受信すべき装置の装置識別情報を含むチラシ詳細情報要求信号を送信するための処理を行う（チラシ詳細情報要求信号送信ステップ  S０６２５）。当該信号が前記チラシ詳細情報要求信号受信ステップ（S０６１２）にて受信される。
【００５７】
<実施形態１の効果>
本実施形態の電子チラシ提供システムにおいては、チラシ情報について要約情報と詳細情報との２通りのチラシ情報を用意し、要約情報をデジタル放送で提供することにより、関連地域の視聴者に広く宣伝を行い、かつ、詳細情報を宣伝に興味を持った視聴者の要求に応じて送信することにより視聴者が手軽に必要な情報を入手できるので、実際に購買に結びつく可能性の高い効果的な情報提供が期待できる。また、ＦＡＸなどを用いて紙などに印刷されたチラシ詳細情報を持って来店してきた客に、特別のサービスなどを提供することができる。また、チラシ要約情報を視聴して、興味を持った人がチラシ詳細情報を印刷などするので、紙などの資源が無駄になる割合が減る。
【００５８】
<<実施形態２>>
<実施形態２の概要>
本実施形態は、デジタル放送にて配信される宣伝広告に関するものであり、実施形態１と同様に、要約情報と詳細情報との２通りのチラシ情報を提供する。ただし、実施形態１とは異なり、チラシ詳細情報は広告を提供する店舗に保持し、店舗から、視聴者の要求に応じて送信する電子チラシ提供システムである。
【００５９】
図７に、本実施形態の概念の一例を示す。
【００６０】
詳細情報を店舗側に保持することにより、店舗の状況などを反映した情報の変更が速やかに行え、かつ、店舗側が受け取った詳細情報要求をマーケッティングなどに活用することができる。
【００６１】
<実施形態２の構成>
本実施形態での機能ブロックの一例を図８に示す。
【００６２】
図８に示す本実施形態の「電子チラシ提供システム」（０８００）は、「第二チラシ配信装置」（０８１０）と、家庭に配置される「デジタル放送受信装置」（０８２０）と、「店舗チラシ配信装置」（０８３０）と、からなる電子チラシ提供システムであって、前記第二チラシ配信装置（０８１０）は、「チラシ要約情報蓄積部」（０８１１）と、「チラシ要約情報放送部」（０８１２）と、「第二チラシ詳細情報要求信号受信部」（０８１３）と、「チラシ詳細情報要求通知送信部」（０８１４）とからなり、前記デジタル放送受信装置（０８２０）は、「受信装置地域識別情報保持部」（０８２１）と、「チラシ要約情報受信部」（０８２２）と、「画面出力部」（０８２３）と、「チラシ詳細情報要求信号送信部」（０８２４）とからなり、前記店舗チラシ配信装置（０８３０）は、「チラシ詳細情報保持部」（０８３１）と、「チラシ詳細情報要求通知受信部」（０８３２）と、「第二チラシ詳細情報送信部」（０８３３）とからなる。
【００６３】
<実施形態２の構成の説明>
最初に、第二チラシ配信装置（０８１０）の構成要件について説明する。
【００６４】
チラシ要約情報蓄積部（０８１１）と、チラシ要約情報放送部（０８１２）とは、実施形態１で説明したものと同様である。
【００６５】
「第二チラシ詳細情報要求信号受信部」（０８１３）は、視聴家庭へのチラシ詳細情報の送信を要求するチラシ詳細情報要求信号を受信するために設けられる。この要求信号は、実施形態１で説明したものと同様であり、チラシ詳細情報を受信すべき装置の装置識別情報が含まれている。
【００６６】
「チラシ詳細情報要求通知送信部」（０８１４）は、前記第二チラシ詳細情報要求信号受信部（０８１３）で受信した要求信号に基づいて、前記店舗チラシ配信装置（０８３０）に対してチラシ詳細情報の要求があったことを示すチラシ詳細情報要求通知を前記店舗チラシ配信装置（０８３０）に送信する。要求信号に含まれているチラシ詳細情報を受信すべき装置の装置識別情報は、チラシ詳細情報要求通知に引き継がれて店舗チラシ配信装置へ通知される。
【００６７】
デジタル放送受信装置（０８２０）の構成要件については、実施例１で説明したものと同様である。
【００６８】
次に、店舗チラシ配信装置（０８３０）の構成要件について説明する。
【００６９】
「チラシ詳細情報保持部」（０８３１）は、チラシ詳細情報を保持する。
チラシ詳細情報は、実施例１で説明したものと同様である。ただし、本実施例のチラシ詳細情報保持部（０８３１）は、宣伝広告を行う当該店舗のチラシ詳細情報のみを保持する。なお、店舗に保持した詳細情報は容易に更新できるので、商品の在庫状況や時間限定の売り出し情報など、常に店舗の状況に見合った最新の情報を提供することも可能である。
【００７０】
「チラシ詳細情報要求通知受信部」（０８３２）は、視聴家庭へのチラシ詳細情報の送信を要求するチラシ詳細情報要求通知を受信するために設けられる。この信号は、視聴者からの詳細情報要求を受信した第二チラシ配信装置（０８１０）から送信されたものであり、チラシ詳細情報を受信すべき装置の装置識別情報が含まれる。
【００７１】
「第二チラシ詳細情報送信部」（０８３３）は、前記チラシ詳細情報を要求のあった視聴家庭の指定された装置へ送信する。対象となる装置は、前記チラシ詳細情報要求通知に含まれた装置識別情報により特定する。
【００７２】
<実施形態２の具体例の説明>
本実施形態の具体例をあげて説明する。図９に、店舗チラシ配信装置の具体的機能ブロックの一例を示す。
【００７３】
第二チラシ配信装置のチラシ要約情報蓄積部には、チラシ識別子としてID=0100A、地域識別情報として千代田区という情報を含むチラシ要約情報を蓄積し、店舗チラシ配信装置（０９１０）のチラシ詳細情報保持部（０９１１）には、チラシ識別子としてID=0100Bという情報を含む対応するチラシ詳細情報を保持してあるものとする。チラシ要約情報とチラシ詳細情報との対応関係は、実施形態１での具体例と同様にチラシ識別子により管理するものとする。
【００７４】
チラシ要約情報放送部は、チラシ識別子および地域識別情報を含むチラシ要約情報を、デジタル放送により放送する。放送されたチラシ要約情報は、視聴が行なわれる家庭などに設置されたデジタル放送受信装置により受信される。
【００７５】
デジタル放送受信装置の処理は実施形態１で説明したものと同様であり、チラシ詳細情報要求信号送信部より、チラシ識別子ID=0100A、受信装置識別情報として受信装置ID＝123456の情報を持つチラシ詳細情報要求信号が第二チラシ配信装置に対して送信される。
【００７６】
第二チラシ配信装置の第二チラシ詳細情報要求信号受信部は、視聴者の要求により送信された、チラシ識別子としてID=0100A、受信装置識別情報として受信装置ID＝123456の情報を持つチラシ詳細情報要求信号を受信する。
【００７７】
チラシ詳細情報要求通知送信部は、当該要求信号の情報に基づき、チラシ識別子としてID=0100A、受信装置識別情報として受信装置ID＝123456の情報を持つチラシ詳細情報要求通知をID=0100Aの広告を提供した店舗の店舗チラシ配信装置（０９１０）に対して送信する。なお、当該の店舗を識別するためには、チラシ識別子に店舗情報を含ませる、または、店舗とチラシ情報との対応表を設ける等の方式が考えられる。
【００７８】
店舗チラシ配信装置（０９１０）のチラシ詳細情報要求通知受信部（０９１２）は、前記チラシ詳細情報要求通知送信部より送信されたチラシ詳細情報要求通知を受信する。
【００７９】
第二チラシ詳細情報送信部（０９１３）は、前記チラシ詳細情報要求通知のIDおよび受信装置ID に基づき、チラシ識別子としてID=0100Ｂを持つチラシ詳細情報を、受信装置ID＝123456を持つ受信装置に対して送信する。
【００８０】
<実施形態２の処理の流れ>
図１０は、実施形態２での処理の流れの一例を示したものである。本実施形態における電子チラシ提供方法は、以下に示すステップよりなる。
【００８１】
<第二チラシ配信装置による処理の流れ>
最初に、チラシを配信すべき地域を識別する地域識別情報を含むチラシ要約情報をデジタル放送するための処理を行う（チラシ要約情報放送ステップ  S１０１１）。
【００８２】
次に、チラシ詳細情報要求信号が送信された場合には、当該信号を受信するための処理を行い（チラシ詳細情報要求信号受信ステップ  S１０１２）、当該信号に基づき、チラシ詳細情報を受信すべき装置の装置識別情報を引き継いでチラシ詳細情報要求通知を送信するための処理を行う（S１０１３）。当該信号の送信はデジタル放送受信装置にて行われている。
【００８３】
<デジタル放送受信装置による処理の流れ>
実施形態１における処理と同様である。
【００８４】
<店舗チラシ配信装置による処理の流れ>
チラシ詳細情報要求通知を受信し（S１０３１）、当該通知により指定された装置に対して、チラシ詳細情報を送信するための処理を行う（チラシ詳細情報送信ステップ  S１０３２）。
【００８５】
<実施形態２の効果>
本実施形態の電子チラシ提供システムにおいては、チラシ情報について要約情報と詳細情報との２通りのチラシ情報を用意し、詳細情報については広告を提供する店舗に保持することにより、店舗の状況などを反映した情報の変更が速やかに行え、かつ、店舗側が受け取った詳細情報要求をマーケッティングなどに活用することが期待できる。
【００８６】
<<実施形態３>>
<実施形態３の概要>
本実施形態は、デジタル放送にて配信される宣伝広告に関するものであり、視聴者の要求により送信されたチラシ詳細情報をデジタル放送受信装置にて受信可能であることを特徴とする電子チラシ提供システムである。
【００８７】
チラシ詳細情報をデジタル放送受信装置にて受信することにより、特別な受信装置を装備する必要はなく、また、受信したチラシ詳細情報を一般の放送広告と同様に、容易にテレビ画面で見ることができる。
【００８８】
<実施形態３の構成>
本実施形態での機能ブロックの一例を図１１に示す。
【００８９】
図１１に示す本実施形態の「電子チラシ提供システム」（１１００）は、「第一チラシ配信装置」（１１１０）と、家庭に配置される「デジタル放送受信装置」（１１２０）とからなる電子チラシ提供システムであって、前記第一チラシ配信装置（１１１０）は、「チラシ要約情報蓄積部」（１１１１）と、「チラシ詳細情報蓄積部」（１１１２）と、「チラシ要約情報放送部」（１１１３）と、「第一チラシ詳細情報要求信号受信部」（１１１４）と、「第一チラシ詳細情報送信部」（１１１５）とからなり、前記デジタル放送受信装置（１１２０）は、「受信装置地域識別情報保持部」（１１２１）と、「チラシ要約情報受信部」（１１２２）と、「画面出力部」（１１２３）と、「チラシ詳細情報要求信号送信部」（１１２４）と、「チラシ詳細情報受信部」（１１２５）とからなる。
【００９０】
前記チラシ詳細情報受信部（１１２５）を除いた構成は、実施形態１と共通である。
【００９１】
また、前記第一チラシ配信装置を、第二チラシ配信装置および店舗チラシ配信装置に代えた実施形態を採る場合には、実施形態２の構成とも、前記チラシ詳細情報受信部（１１２５）を除き共通である。
【００９２】
本実施形態は、デジタル放送受信装置内にチラシ詳細情報受信部を有する点を特徴とする。
【００９３】
<実施形態３の構成の説明>
チラシ詳細情報受信部（１１２５）を除く構成要件は、実施形態１又は２で説明したものと同様であるため、ここでの説明は省略する。
【００９４】
「チラシ詳細情報受信部」（１１２５）は、前記第一チラシ配信装置（１１１０）又は前記店舗チラシ配信装置から送信されるチラシ詳細情報を受信するために設けられる。
【００９５】
チラシ詳細情報は、前記デジタル放送受信装置（１１２０）のチラシ詳細情報要求信号送信部（１１２４）から送信されるチラシ詳細情報要求信号に含まれる受信装置識別情報により示される受信装置に対して送信される。本実施形態では、受信装置識別情報として前記デジタル放送受信装置自身を示す装置識別情報を使用することにより、当該デジタル放送受信装置へのチラシ詳細情報の送信を行い、チラシ詳細情報受信部にての受信を可能とする。チラシ詳細情報の送受信は、インターネットや、電話回線等を介して行うように構成される。
【００９６】
受信されたチラシ詳細情報は、任意の時点で視聴者の指示により画面出力を行うことができる。また、視聴者の指示無く強制的に画面出力を行うようにすることや、チラシ詳細情報視聴用のチャンネルを設けて、デジタル放送受信装置がそのチャンネルに合致している場合に画面出力を行う等の構成をとることもできる。なお、チラシ詳細情報は、要約情報に比して情報量が多いので一画面に収まらないこともあるため、画面出力の際、スクロール可能な表示を行うことも考えられる。
【００９７】
また、プリンタ等を装備し、必要とする箇所を印刷する等の処理も考えられる。
【００９８】
<実施形態３の処理の流れ>
本実施形態におけるデジタル放送受信装置による処理の流れは、以下に示すステップよりなる。
【００９９】
デジタル放送受信装置を除く処理の流れは、実施形態１又は２で説明したものと同様であるため、ここでの説明は省略する。
【０１００】
<デジタル放送受信装置による処理の流れ>
実施形態１又は２での処理と同様に、チラシ要約情報受信ステップ、画面出力ステップ、チラシ詳細情報要求信号送信ステップの処理を行った後、チラシ詳細情報を受信するための処理を行う（チラシ詳細情報受信ステップ）。受信したチラシ詳細情報については、視聴者の指示等により画面出力などの処理が行われる。
【０１０１】
<実施形態３の効果>
本実施形態の電子チラシ提供システムにおいては、視聴者の要求により送信されたチラシ詳細情報をデジタル放送受信装置にて受信することにより、受信したチラシ詳細情報を容易にテレビ画面で見ることができる。また、プリンタ等を装備し必要とする箇所を印刷する等の処理も行うことができる。
【０１０２】
<<実施形態４>>
<実施形態４の概要>
本実施形態は、デジタル放送にて配信される宣伝広告に関するものであり、視聴者の要求により送信されるチラシ詳細情報を、ファックス系装置にて受信することを特徴とする電子チラシ提供システムである。
【０１０３】
チラシ詳細情報をファックス系装置にて受信することにより、一般に普及している機器を利用して、紙などの携帯が容易な扱い慣れた媒体でチラシ詳細情報を取得することができる。
【０１０４】
なお、ファックス系装置は、家庭に設置されるものであってもよい。
【０１０５】
<実施形態４の構成>
本実施形態での機能ブロックの一例を図１２に示す。
【０１０６】
図１２に示す本実施形態の「電子チラシ提供システム」（１２００）は、「第一チラシ配信装置」（１２１０）と、家庭に配置される「デジタル放送受信装置」（１２２０）と、「ファックス系装置」（１２３０）とからなる電子チラシ提供システムであって、前記第一チラシ配信装置（１２１０）は、「チラシ要約情報蓄積部」（１２１１）と、「チラシ詳細情報蓄積部」（１２１２）と、「チラシ要約情報放送部」（１２１３）と、「第一チラシ詳細情報要求信号受信部」（１２１４）と、「第一チラシ詳細情報送信部」（１２１５）とからなり、
前記デジタル放送受信装置（１２２０）は、「受信装置地域識別情報保持部」（１２２１）と、「チラシ要約情報受信部」（１２２２）と、「画面出力部」（１２２３）と、「チラシ詳細情報要求信号送信部」（１２２４）とからなる。
【０１０７】
ファックス系装置（１２３０）を除いた構成は、実施形態１と共通である。
【０１０８】
また、前記第一チラシ配信装置を、第二チラシ配信装置および店舗チラシ配信装置に代えた実施形態を採る場合には、実施形態２の構成とも、前記ファックス系装置（１２３０）を除き共通である。
【０１０９】
本実施形態は、チラシ詳細情報を受信するためのファックス系装置を有する点を特徴とする。
【０１１０】
<実施形態４の構成の説明>
ファックス系装置（１２３０）を除く構成要件は、実施形態１又は２で説明したものと同様であるため、ここでの説明は省略する。
【０１１１】
ファックス系装置は、一般に普及している機器であり、前記第一チラシ配信装置（１２１０）又は前記店舗チラシ配信装置から送信されるチラシ詳細情報を受信するために利用する。
【０１１２】
なお、ここでファックス系装置とは、映像情報を電話回線やインターネット回線等を介して受信し、受信した映像を紙や画面に出力して参照できる装置をいう。例えば、ファクシミリ機器やＬモードに対応した機器等が考えられる。
【０１１３】
本実施形態では、前記デジタル放送受信装置（１２２０）のチラシ詳細情報要求信号送信部（１２２４）から送信されるチラシ詳細情報要求信号に含まれる受信装置識別情報として、家庭などで使用しているファックス系装置を示す情報を使用する。具体的には、ファックス装置であることを示す識別情報を設定し、ファックス番号とともに使用する等が考えられる。
【０１１４】
受信されたチラシ詳細情報は、一般のファックス系情報と同様に、紙に出力するなどして、利用することができる。
【０１１５】
<実施形態４の処理の流れ>
本実施形態における処理の流れは、実施形態１又は２での処理と同様である。ただし、第一チラシ配信装置、もしくは、店舗チラシ配信装置によるチラシ詳細情報送信ステップでは、ファックス系装置に対して送信するための処理が行われ（ファックス系送信処理ステップ）、その後、ファックス系装置により、チラシ詳細情報受信ステップの処理が行われる。
【０１１６】
その他の各装置の処理は、実施形態１又は２での処理と同様であるため、ここでの説明は省略する。
<実施形態４の効果>
本実施形態の電子チラシ提供システムにおいては、視聴者の要求により送信されたチラシ詳細情報をファックス系装置にて受信することにより、一般に普及している機器を利用して、紙などの携帯が容易な扱い慣れた媒体でチラシ詳細情報を取得することができる。
【０１１７】
<<実施形態５>>
<実施形態５の概要>
本実施形態は、デジタル放送にて配信される宣伝広告に関するものであり、放送されたチラシ要約情報の画面表示の際、広告を配信すべき地域とデジタル放送受信装置の配置地域との関係を考慮して画面出力を工夫することにより、視聴者にとって身近な、有用性の高い広告への注意を促すことができる。
【０１１８】
<実施形態５の構成>
本実施形態での機能ブロックの一例を図１３に示す。
【０１１９】
図１３に示す本実施形態の「電子チラシ提供システム」（１３００）は、「第一チラシ配信装置」（１３１０）と、家庭などに設置される「デジタル放送受信装置」（１３２０）とからなる電子チラシ提供システムであって、前記第一チラシ配信装置（１３１０）は、「チラシ要約情報蓄積部」（１３１１）と、「チラシ詳細情報蓄積部」（１３１２）と、「チラシ要約情報放送部」（１３１３）と、「第一チラシ詳細情報要求信号受信部」（１３１４）と、「第一チラシ詳細情報送信部」（１３１５）とからなり、前記デジタル放送受信装置（１３２０）は、「受信装置地域識別情報保持部」（１３２１）と、「チラシ要約情報受信部」（１３２２）と、「画面出力部」（１３２３）と、「チラシ詳細情報要求信号送信部」（１３２４）とからなり、前記画面出力部（１３２３）は、「比較手段」（１３２３１）と、「比較出力手段」（１３２３２）とを有する。
【０１２０】
前記比較手段（１３２３１）と比較出力手段（１３２３２）とを除いた構成は、実施形態１と共通である。
【０１２１】
また、実施形態２から４のいずれの構成とも、前記比較手段（１３２３１）と比較出力手段（１３２３２）とを除いて共通した構成を持つ実施形態をとることができる。
【０１２２】
本実施形態は、デジタル放送受信装置の画面出力部に比較手段と比較出力手段とを有する点を特徴とする。
【０１２３】
<実施形態５の構成の説明>
画面出力部（１３２３）の比較手段（１３２３１）と比較出力手段（１３２３２）とを除く構成要件は、実施形態１から４で説明したものと同様であるため、ここでの説明は省略する。
【０１２４】
「比較手段」（１３２３１）は、前記チラシ要約情報に含まれる地域識別情報と、前記受信装置地域識別情報とを比較するために設けられる。前者はチラシ要約情報を配信すべき地域を示し、後者は受信装置が配置されている地域を示す。一般的に、視聴者により近い地域を対象とした広告の方が、実際に買物等をするに当たって有用であると考えられるので、この比較手段で両者の位置関係を判断することによって、当該のチラシ情報が視聴者にとってどの程度の有用性を持つかを推定する。例えば、受信装置が配置されている地域のみを対象としている広告は、最も有用性が高いと推定し、隣接した地域をも含む地域を対象としている広告は次善とする等が考えられる。この比較結果に応じて、次の比較出力手段の処理が行われる。
【０１２５】
比較手段の処理の具体例を図１４に示す。
【０１２６】
３つのチラシ要約情報をそれぞれA,B,Cとし、Aは‘東京２３区’、Bは‘千代田区’、Cは‘千代田区・港区・中央区’を地域識別情報として含むものとする。また、デジタル放送受信装置の受信装置地域識別情報としては、受信装置設置場所として千代田区という情報が保持されているものとする。
【０１２７】
デジタル放送受信装置の画面出力部（１４３０）の比較手段（１４３１）は、チラシ要約情報受信部（１４２０）が受信したチラシ要約情報A,B,Cについて、それぞれの地域識別情報（＝チラシ配信地域）を、自身の保持する受信装置地域識別情報（＝受信装置設置地域）と比較する。
【０１２８】
Aについては、受信装置設置地域を含む広い範囲がチラシ配信地域となっており、Bについては、受信装置設置地域とチラシ配信地域が等しく、C については、受信装置設置地域とその隣接地域がチラシ配信地域となっている。
【０１２９】
以上の比較から、両者が一致するチラシ要約情報Bが最も有用性が高く、有用性の高さは、B,C,Aの順序であると推定する。
【０１３０】
「比較出力手段」（１３２３２）は、前記比較手段（１３２３１）の比較結果に応じて画面への出力を行うために設けられる。比較結果から、視聴者にとって有用性が高いと推定できる広告については、視聴者の注意をひくように工夫した出力を行う。具体的には、出力時にアラームを鳴らす、ボリュームを上げる、また、より有用性が高いと推定される近い地域の広告から順に出力する等が考えられる。
【０１３１】
<実施形態５の処理の流れ>
本実施形態におけるデジタル放送受信装置による処理の流れは、以下に示すステップよりなる。なお、デジタル放送受信装置を除く処理の流れは、実施形態１から４で説明したものと同様であるため、ここでの説明は省略する。
【０１３２】
<デジタル放送受信装置による処理の流れ>
最初にチラシ要約情報受信ステップの処理を行い、次に画面出力ステップの処理を行う。画面出力ステップにおいて、チラシ要約情報受信ステップで受信したチラシ要約情報に含まれる地域識別情報と、受信装置地域識別情報とを比較するための処理を行い（比較ステップ）、次に、その比較結果に応じて画面出力するための処理を行う（比較出力ステップ）。
以降の処理は、実施形態１から４における処理と同様であるため、説明は省略する。
【０１３３】
<実施形態５の効果>
本実施形態の電子チラシ提供システムにおいては、放送されたチラシ要約情報の画面表示の際、広告を配信すべき地域とデジタル放送受信装置の配置地域との関係を考慮して画面出力を工夫することにより、視聴者にとって身近な、有用性の高い広告への注意を促すことができる。
【産業上の利用可能性】
【０１３４】
本発明によれば、視聴者が手軽に必要な情報を入手する手段の提供や、視聴者の指定する装置を介しての詳細情報の提供、最新の状況を反映した情報の提供、また、有用性の高い広告に対する視聴者への注意喚起などを行なうことができ、電子チラシ提供システムとして有用である。
【図面の簡単な説明】
【０１３５】
【図１】実施形態１を説明するための概念図
【図２】実施形態１を説明するための機能ブロック図
【図３】チラシ要約情報と関連するチラシ詳細情報との一例を示す図
【図４】実施形態１を説明するための具体的機能ブロック図
【図５】実施形態１を説明するための具体的機能ブロック図
【図６】実施形態１の処理の流れを説明する図
【図７】実施形態２を説明するための概念図
【図８】実施形態２を説明するための機能ブロック図
【図９】実施形態２を説明するための具体的機能ブロック図
【図１０】実施形態２の処理の流れを説明する図
【図１１】実施形態３を説明するための機能ブロック図
【図１２】実施形態４を説明するための機能ブロック図
【図１３】実施形態５を説明するための機能ブロック図
【図１４】実施形態５を説明するための具体的機能ブロック図
【符号の説明】
【０１３６】
０２００    電子チラシ提供システム
０２１０    第一チラシ配信装置
０２１１    チラシ要約情報蓄積部
０２１２    チラシ詳細情報蓄積部
０２１３    チラシ要約情報放送部
０２１４    第一チラシ詳細情報要求信号受信部
０２１５    第一チラシ詳細情報送信部
０２２０    デジタル放送受信装置
０２２１    受信装置地域識別情報保持部
０２２２    チラシ要約情報受信部
０２２３    画面出力部
０２２４    チラシ詳細情報要求信号送信部
【図１】
2005157629.tif 000003
【図２】
2005157629.tif 000004
【図３】
2005157629.tif 000005
【図４】
2005157629.tif 000006
【図５】
2005157629.tif 000007
【図６】
2005157629.tif 000008
【図７】
2005157629.tif 000009
【図８】
2005157629.tif 000010
【図９】
2005157629.tif 000011
【図１０】
2005157629.tif 000012
【図１１】
2005157629.tif 000013
【図１２】
2005157629.tif 000014
【図１３】
2005157629.tif 000015
【図１４】
2005157629.tif 000016